(57)【特許請求の範囲】
【請求項１】
商品を収納するホット／コールド切換室を有する自動販売機において、圧縮機と室外熱交換器と膨張機構と室内熱交換器を備え、大気の熱を利用して前記ホット／コールド切換室を加温するヒートポンプシステムと前記ホット／コールド切換室を加温する電気ヒータと、室内の温度を検知する室内温度センサーとを備え、前記ホット／コールド切換室を加温する場合、電源投入時でない場合は前記ヒートポンプシステムまたは前記電気ヒータの単独運転とするとともに、電源投入時は前記ホット／コールド切換室を前記ヒートポンプシステムと前記電気ヒータの両方で加温し、前記電気ヒータの前記室内温度センサーによる停止温度を前記ヒートポンプシステムの前記室内温度センサーによる停止温度より低く設定し、電源投入時の前記ホット／コールド切換室内のオーバーシュートを抑制し温度精度を高めたしたことを特徴とする自動販売機の制御装置。
【請求項２】
ヒートポンプの室内温度センサーによる停止温度と電気ヒータの室内温度センサーによる停止温度を変更可能にする基準値設定手段を備えたことを特徴とする請求項１に記載の自動販売機の制御装置。
【請求項３】
ヒートポンプシステムと電気ヒータの両方で加温している時間を計測するタイマー手段を備え、前記タイマー手段による計測時間が所定時間を超えない場合には、電気ヒータの室内温度センサーによる停止温度を電気ヒータ単独運転停止温度に変更することを特徴とした請求項１に記載の自動販売機の制御装置。
【請求項４】
外気温度を測定するための外気温度センサーを備え、前記外気温度センサーにより測定された外気温度に応じて、ヒートポンプシステムと電気ヒータの室内温度センサーによる停止温度を変更することを特徴とした請求項１に記載の自動販売機の制御装置。
【請求項５】
ヒートポンプシステムと電気ヒータの停止によるオーバーシュートにより上昇した温度を記憶するためのオーバーシュート温度記憶手段を備え、前記オーバーシュート温度記憶手段に記憶された前回の上昇温度に応じて、室内温度センサーによる停止温度を変更することを特徴とした請求項１に記載の自動販売機の制御装置。
【発明の詳細な説明】
【技術分野】
【０００１】
本発明は、缶飲料など商品を冷却または加温して販売する自動販売機の加温制御を行う自動販売機の制御装置に関するものである。
【背景技術】
【０００２】
近年、自動販売機に対する消費電力量削減の要求が高まってきており、消費電力量削減手段として、冷却によって生じる廃熱や大気の熱を利用するヒートポンプシステムを用いて缶飲料などの商品を加温するものが提案されている。
【０００３】
また、ヒートポンプシステムは特に低外気温時の起動特性に劣ることから、低外気温時あるいは起動時に圧縮機の回転数を上げて加温能力を高めるとともに、補助電気ヒータを用いて加温能力を補完する自動販売機も提案されている（例えば、特許文献１参照）。
【０００４】
以下、図面を参照しながら従来の自動販売機を説明する。
【０００５】
図１２は従来の自動販売機の冷媒回路図である。
【０００６】
図１２に示すように、従来の自動販売機は、ホット／コールド切替室１、コールド専用室２、第二コールド専用室３からなる貯蔵室を備え、ホット／コールド切替室１内に設置された室内熱交換器４、コールド専用室２内に設置された蒸発器５、第二コールド専用室２内に設置された第二蒸発器６、貯蔵室の外に設置された室外熱交換器７、圧縮機８で構成されたヒートポンプシステムを有する。ここで、圧縮機８は各貯蔵室の室温変化に対応して、回転数を変化させてその能力を制御するものである。
【０００７】
また、膨張弁Ａ９、膨張弁Ｂ１０、膨張弁Ｃ１１はそれぞれ通過する冷媒の圧力を低下するとともに閉塞機能を有したものであり、開閉弁Ａ１２、開閉弁Ｂ１３、開閉弁Ｃ１４、開閉弁Ｄ１５はそれぞれ冷媒の流れの有無を制御するものである。
【０００８】
また、ヒートポンプシステムの加温能力を補完するために、ヒートポンプシステムの加温能力のほぼ半分の加温能力を有する電気ヒータからなる補助電気ヒータ１６が室内熱交換器４の風上側に設置されている。
【０００９】
以上のように構成された従来の自動販売機について、以下その動作を説明する。
【００１０】
ホット／コールド切替室１を冷却する場合、開閉弁Ａ１２と開閉弁Ｄ１５を開とし、開閉弁Ｂ１３と開閉弁Ｃ１４を閉として、圧縮機８を駆動する。圧縮機８から吐出された冷媒は、室外熱交換器７で凝縮された後、それぞれ膨張弁Ａ９、膨張弁Ｂ１０、膨張弁Ｃ１１で減圧されて、室内熱交換器４、蒸発器５、第二蒸発器６へ供給される。そして、室内熱交換器４、蒸発器５、第二蒸発器６で蒸発した冷媒が圧縮機８へ還流する。
【００１１】
このとき、ホット／コールド切替室１、コールド専用室２、第二コールド専用室３の内所定の温度に達した貯蔵室は、当該する膨張弁Ａ９、膨張弁Ｂ１０、膨張弁Ｃ１１を閉塞して冷媒の供給を停止する。さらに、すべての貯蔵室が所定の温度に達すると圧縮機８の運転を停止する。
【００１２】
次に、ホット／コールド切替室１を加温する場合、開閉弁Ａ１２と開閉弁Ｄ１５および膨張弁Ａ９を閉とし、開閉弁Ｂ１３と開閉弁Ｃ１４を開として、圧縮機８を駆動する。圧縮機８から吐出された冷媒は、室内熱交換器４で一部が凝縮し、再度室外熱交換器７で凝縮された後、それぞれ膨張弁Ｂ１０、膨張弁Ｃ１１で減圧されて、蒸発器５、第二蒸発器６へ供給される。そして、蒸発器５、第二蒸発器６で蒸発した冷媒が圧縮機８へ還流する。また、コールド専用室２、第二コールド専用室３の内、所定の温度に達した貯蔵室は、当該する膨張弁Ｂ１０、膨張弁Ｃ１１を閉塞して冷媒の供給を停止する。さらに、すべての貯蔵室が所定の温度に達すると圧縮機８の運転を停止する。
【００１３】
ここで、コールド専用室２および第二コールド専用室３を冷却する際に生じる冷媒の凝縮廃熱を用いて、ホット／コールド切替室１を効率よく加温することができるので、電気ヒータなどの別の加熱手段を用いてホット／コールド切替室１を加温する場合に比べて、消費電力量を削減することができる。
【特許文献１】特開２００２−２８８７２６号公報
【発明の開示】
【発明が解決しようとする課題】
【００１４】
しかしながら、上記従来の構成では、ヒートポンプシステムおよび電気ヒータにより室内が加温されていたときに、室内温度センサーにより所定温度を検知することで運転を停止する場合に、ヒートポンプシステムおよび電気ヒータの保有熱により大きなオーバーシュートが発生してしまい、庫内温度が所定の温度範囲から外れてしまうという課題を有していた。
【００１５】
本発明は従来の課題を解決するもので、ヒートポンプシステムおよび電気ヒータにより加温されている場合、室内温度センサーにより停止する所定温度を個別に設けることで、大きなオーバーシュートを防止することのできる自動販売機の制御装置を提供することを目的とする。
【課題を解決するための手段】
【００１６】
上記従来の課題を解決するために、商品を収納するホット／コールド切換室を有する自動販売機において、圧縮機と室外熱交換器と膨張機構と室内熱交換器を備え、大気の熱を利用して前記ホット／コールド切換室を加温するヒートポンプシステムと前記ホット／コールド切換室を加温する電気ヒータと、室内の温度を検知する室内温度センサーとを備え、前記ホット／コールド切換室を加温する場合、電源投入時でない場合は前記ヒートポンプシステムまたは前記電気ヒータの単独運転とするとともに、電源投入時は前記ホット／コールド切換室を前記ヒートポンプシステムと前記電気ヒータの両方で加温し、前記電気ヒータの前記室内温度センサーによる停止温度を前記ヒートポンプシステムの前記室内温度センサーによる停止温度より低く設定し、電源投入時の前記ホット／コールド切換室内のオーバーシュートを抑制し温度精度を高めたものである。
【００１７】
これによって、ヒートポンプシステムと電気ヒータの両方で加温されている場合、停止させる温度に差をつけて制御することでオーバーシュートを抑制して温度調節の精度を向上することが可能となる。
【発明の効果】
【００１８】
本発明の自動販売機の制御装置は大きなオーバーシュートを抑制することができ、温度精度の向上が可能となり、商品の加温劣化の低減を図ることができる。
【発明を実施するための最良の形態】
【００１９】
請求項１に記載の発明は、商品を収納するホット／コールド切換室を有する自動販売機において、圧縮機と室外熱交換器と膨張機構と室内熱交換器を備え、大気の熱を利用して前記ホット／コールド切換室を加温するヒートポンプシステムと前記ホット／コールド切換室を加温する電気ヒータと、室内の温度を検知する室内温度センサーとを備え、前記ホット／コールド切換室を加温する場合、電源投入時でない場合は前記ヒートポンプシステムまたは前記電気ヒータの単独運転とするとともに、電源投入時は前記ホット／コールド切換室を前記ヒートポンプシステムと前記電気ヒータの両方で加温し、前記電気ヒータの前記室内温度センサーによる停止温度を前記ヒートポンプシステムの前記室内温度センサーによる停止温度より低く設定し、電源投入時の前記ホット／コールド切換室内のオーバーシュートを抑制し温度精度を高めたことにより、オーバーシュートを抑制して温度調節の精度を向上することが可能となる。
【００２０】
請求項２に記載の発明は、請求項１に記載の発明において、ヒートポンプの室内温度センサーによる停止温度と電気ヒータの室内温度センサーによる停止温度を変更可能にする基準値設定手段を備えたことにより、電気ヒータの抵抗値のばらつきなどによるオーバーシュートのばらつきを抑制して温度調節の精度を向上することが可能となる。
【００２１】
請求項３に記載の発明は、請求項１に記載の発明において、ヒートポンプシステムと電気ヒータの両方で加温している時間を計測するタイマー手段を備え、前記タイマー手段に
よる計測時間が所定時間を超えない場合には、電気ヒータの室内温度センサーによる停止温度を電気ヒータ単独運転停止温度に変更することにより、ヒートポンプシステムおよび電気ヒータにより加温されている場合であっても、通電時間が短く、大きなオーバーシュートが発生しにくい条件においては、大きなオーバーシュートを抑制するための停止温度の変更を中止することにより、温度調節の精度を向上することが可能となる。
【００２２】
請求項４に記載の発明は、請求項１に記載の発明において、外気温度を測定するための外気温度センサーを備え、前記外気温度センサーにより測定された外気温度に応じて、ヒートポンプシステムと電気ヒータの室内温度センサーによる停止温度を変更することにより、オーバーシュートのばらつきを抑制して温度調節の精度を向上することが可能となる。
【００２３】
請求項５に記載の発明は、請求項１に記載の発明において、ヒートポンプシステムと電気ヒータの停止によるオーバーシュートにより上昇した温度を記憶するためのオーバーシュート温度記憶手段を備え、前記オーバーシュート温度記憶手段に記憶された前回の上昇温度に応じて、室内温度センサーによる停止温度を変更することで、オーバーシュートのばらつきを抑制して温度調節の精度を向上することが可能となる。
【００２４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２５】
（実施の形態１）
図１は、本発明の実施の形態１における自動販売機の冷媒回路図である。
【００２６】
図２は、本発明の実施の形態１における自動販売機の制御装置の機能ブロック図である。図３は、同実施の形態の自動販売機の制御装置の動作を示すフローチャートである。
【００２７】
図１、図２において、ホット／コールド切換室１と、コールド専用室２と、第二コールド専用室３からなる貯蔵室と、加温用圧縮機２０と、ホット／コールド切換室１内に設置された切換室凝縮器２１と、貯蔵室の外に設置された切換室蒸発器２２と、加温用膨張弁２３からなり、ホット／コールド切換室１の加温を専用に行うヒートポンプシステムと、ヒートポンプシステムの加温能力を補完するために、切換室凝縮器２１の風下側に設置され、ヒートポンプシステムの最大加温能力とほぼ同等の加温能力を有する電気ヒータからなる電気ヒータ２４と、切換室凝縮器２１および電気ヒータ２４で暖められた空気を送風してホット／コールド切換室１の室内を循環する加温用ファン２５と、ホット／コールド切換室１の室内温度を計測する室内温度センサー２６と、予め基準温度を記憶するための基準値記憶手段１０１と、温度調整制御を行う演算制御部１００ａによって制御される。
【００２８】
以上のように構成された自動販売機について、以下その演算制御部１００ａの動作、作用を図３のフローチャートをもとにして説明する。
【００２９】
まず、加温運転が選択されているかの確認を行う（ＳＴＥＰ１）。加温運転が選択されなかった場合は、加温運転制御処理を終了する。加温運転が選択された場合は、加温運転動作開始温度であるかの確認を行う（ＳＴＥＰ２）。加温運転動作開始温度以上である場合は、加温運転制御処理を終了する。加温運転動作開始温度である場合は、電源投入時であるかの確認を行う（ＳＴＥＰ３）。
【００３０】
電源投入時の場合は、ヒートポンプシステムおよび電気ヒータ２４を動作させる（ＳＴＥＰ４）。基準値記憶手段１０１に記憶されたヒートポンプシステムおよび電気ヒータ２４の同時運転の場合の電気ヒータ停止温度と室内温度センサー２６の計測温度を比較する（ＳＴＥＰ５）。電気ヒータ停止温度＞室内温度センサー２６の計測温度の場合には、動作を継続する。電気ヒータ停止温度≦室内温度センサー２６の計測温度の場合には、電気ヒータ２４の動作を停止する（ＳＴＥＰ６）。基準値記憶手段１０１に記憶されたヒートポンプシステム停止温度と室内温度センサー２６の計測温度を比較する（ＳＴＥＰ７）。ヒートポンプシステム停止温度＞室内温度センサー２６の計測温度の場合には、動作を継続する。ヒートポンプシステム停止温度≦室内温度センサー２６の計測温度の場合には、ヒートポンプシステムの動作を停止し（ＳＴＥＰ７）、加温運転制御処理を終了する。
【００３１】
電源投入時でない場合は、ヒートポンプシステムまたは電気ヒータ２４を動作させる（ＳＴＥＰ９）。基準値記憶手段１０１に記憶されたヒートポンプシステムまたは電気ヒータ２４の単独運転の場合の停止温度と室内温度センサー２６の計測温度を比較する（ＳＴＥＰ１０）。停止温度＞室内温度センサー２６の計測温度の場合には、動作を継続する。停止温度≦室内温度センサー２６の計測温度の場合には、ヒートポンプシステムまたは電気ヒータ２４の動作を停止し（ＳＴＥＰ１１）、加温運転制御処理を終了する。
【００３２】
以上のように、本実施の形態においては商品を収納するホット／コールド切換室を有する自動販売機において、圧縮機と室外熱交換器と膨張機構と室内熱交換器を備え、大気の熱を利用して前記ホット／コールド切換室を加温するヒートポンプシステムと、前記ホット／コールド切換室を加温する加熱源として電気ヒータと、室内の温度を検知する室内温度センサーとを備え、前記ホット／コールド切換室を前記ヒートポンプシステムと前記電気ヒータで加温する場合、前記ヒートポンプシステムと前記電気ヒータを停止させる温度に差をつけて個別に記憶するための基準値記憶手段を設けることにより、オーバーシュートを抑制して温度調節の精度を向上することが可能となる。
【００３３】
（実施の形態２）
図４は、本発明の実施の形態２における自動販売機の制御装置の機能ブロック図である。図５は、同実施の形態の自動販売機の制御装置の動作を示すフローチャートである。
【００３４】
図４において、基準値設定手段１０２は、演算制御部１００ｂに接続し、前記ホット／コールド切換室と前記ヒートポンプシステムと前記電気ヒータで加温する場合、前記室内温度センサーにより個別に停止させるための所定の基準値温度を設定するためのものである。
【００３５】
本実施の形態は、実施の形態１による自動販売機に、さらに、ヒートポンプシステムと前記電気ヒータで加温する場合、前記室内温度センサーにより個別に停止させるための所定の基準値温度を設定するための基準値設定手段１０２を設けたものである。
【００３６】
以上のように構成された自動販売機について、以下その演算制御部１００ｂの動作、作用を図５のフローチャートをもとにして説明する。
【００３７】
まず、加温運転が選択されているかの確認を行う（ＳＴＥＰ１）。加温運転が選択されなかった場合は、加温運転制御処理を終了する。加温運転が選択された場合は、加温運転動作開始温度であるかの確認を行う（ＳＴＥＰ２）。加温運転動作開始温度以上である場合は、加温運転制御処理を終了する。加温運転動作開始温度である場合は、電源投入時であるかの確認を行う（ＳＴＥＰ３）。
【００３８】
電源投入時の場合は、ヒートポンプシステムおよび電気ヒータ２４を動作させる（ＳＴＥＰ４）。基準値設定手段１０２により電気ヒータ停止温度が設定されているかの確認を行う（ＳＴＥＰ１２）。基準値が基準値設定手段１０２により設定されている場合は、基準値記憶手段１０１に書き込む（ＳＴＥＰ１３）。設定基準値記憶手段１０１に記憶されたヒートポンプシステムおよび電気ヒータ２４の同時運転の場合の電気ヒータ停止温度と室内温度センサー２６の計測温度を比較する（ＳＴＥＰ５）。電気ヒータ停止温度＞室内温度センサー２６の計測温度の場合には、動作を継続する。電気ヒータ停止温度≦室内温度センサー２６の計測温度の場合には、電気ヒータ２４の動作を停止する（ＳＴＥＰ６）。基準値設定手段１０２によりヒートポンプシステム停止温度が設定されているかの確認を行う（ＳＴＥＰ１４）。基準値が基準値設定手段１０２により設定されている場合は、基準値記憶手段１０１に書き込む（ＳＴＥＰ１５）。基準値記憶手段１０１に記憶されたヒートポンプシステム停止温度と室内温度センサー２６の計測温度を比較する（ＳＴＥＰ７）。ヒートポンプシステム停止温度＞室内温度センサー２６の計測温度の場合には、動作を継続する。ヒートポンプシステム停止温度≦室内温度センサー２６の計測温度の場合には、ヒートポンプシステムの動作を停止し（ＳＴＥＰ７）、加温運転制御処理を終了する。
【００３９】
電源投入時でない場合は、ヒートポンプシステムまたは電気ヒータ２４を動作させる（ＳＴＥＰ９）。基準値記憶手段１０１に記憶されたヒートポンプシステムまたは電気ヒータ２４の単独運転の場合の停止温度と室内温度センサー２６の計測温度を比較する（ＳＴＥＰ１０）。停止温度＞室内温度センサー２６の計測温度の場合には、動作を継続する。停止温度≦室内温度センサー２６の計測温度の場合には、ヒートポンプシステムまたは電気ヒータ２４の動作を停止し（ＳＴＥＰ１１）、加温運転制御処理を終了する。
【００４０】
以上のように、本実施の形態においては請求項１に記載の発明に、さらに、前記基準値記憶手段に記憶された所定の停止温度を変更するための基準値設定手段を備えたことにより、停止温度を変更可能にすることができるようになり、電気ヒータの抵抗値のばらつきなどによるオーバーシュートのばらつきを抑制して温度調節の精度を向上することが可能となる。
【００４１】
（実施の形態３）
図６は、本発明の実施の形態３における自動販売機の制御装置の機能ブロック図である。図７は、同実施の形態の自動販売機の制御装置の動作を示すフローチャートである。
【００４２】
図６において、タイマー手段１０３は、演算制御部１００ｃに接続し、時間を計数し、演算制御部１００ｃに出力するためのものである。
【００４３】
本実施の形態は、実施の形態１による自動販売機に、さらに、時間を計数し、前記演算制御部に出力するタイマー手段１０３を設けたものである。
【００４４】
以上のように構成された自動販売機について、以下その演算制御部１００ｃの動作、作用を図７のフローチャートをもとにして説明する。
【００４５】
まず、加温運転が選択されているかの確認を行う（ＳＴＥＰ１）。加温運転が選択されなかった場合は、加温運転制御処理を終了する。加温運転が選択された場合は、加温運転動作開始温度であるかの確認を行う（ＳＴＥＰ２）。加温運転動作開始温度以上である場合は、加温運転制御処理を終了する。加温運転動作開始温度である場合は、電源投入時であるかの確認を行う（ＳＴＥＰ３）。電源投入時の場合は、ヒートポンプシステムおよび電気ヒータ２４を動作させる（ＳＴＥＰ４）。基準値記憶手段１０１に記憶されたヒートポンプシステムおよび電気ヒータ２４の同時運転の場合の電気ヒータ停止温度と室内温度センサー２６の計測温度を比較する（ＳＴＥＰ５）。電気ヒータ停止温度＞室内温度センサー２６の計測温度の場合には、動作を継続する。電気ヒータ停止温度≦室内温度センサー２６の計測温度の場合には、電気ヒータ動作開始から所定時間が経過したかの確認を行う（ＳＴＥＰ１６）。動作時間≧所定時間の場合には電気ヒータ２４の動作を停止する（ＳＴＥＰ６）。動作時間＜所定時間の場合には、単独運転停止温度＞室内温度にて継続運転し（ＳＴＥＰ１０）、単独運転停止温度≦室内温度にて運転を停止する（ＳＴＥＰ１１）。
【００４６】
また、ＳＴＥＰ１１の処理後にヒートポンプシステム動作確認を行う（ＳＴＥＰ１７）。ヒートポンプシステムが動作していない場合には、加温運転制御処理を終了する。ヒートポンプシステムが動作している場合には、基準値記憶手段１０１に記憶されたヒートポンプシステム停止温度と室内温度センサー２６の計測温度を比較する（ＳＴＥＰ７）。ヒートポンプシステム停止温度＞室内温度センサー２６の計測温度の場合には、動作を継続する。ヒートポンプシステム停止温度≦室内温度センサー２６の計測温度の場合には、ヒートポンプシステムの動作を停止し（ＳＴＥＰ８）、加温運転制御処理を終了する。
【００４７】
電源投入時でない場合は、ヒートポンプシステムまたは電気ヒータ２４を動作させる（ＳＴＥＰ９）。基準値記憶手段１０１に記憶されたヒートポンプシステムまたは電気ヒータ２４の単独運転の場合の停止温度と室内温度センサー２６の計測温度を比較する（ＳＴＥＰ１０）。停止温度＞室内温度センサー２６の計測温度の場合には、動作を継続する。停止温度≦室内温度センサー２６の計測温度の場合には、ヒートポンプシステムまたは電気ヒータ２４の動作を停止し（ＳＴＥＰ１１）、加温運転制御処理を終了する。
【００４８】
以上のように、本実施の形態においては請求項１に記載の発明に、さらに、時間を計数し、演算制御部に出力するタイマー手段を備えたことにより、前記タイマー手段により計数された前記ヒートポンプシステムと前記電気ヒータで加温している時間に応じて、前記基準値記憶手段に記憶された停止温度を変更することが可能となり、ヒートポンプシステムおよび電気ヒータにより加温されている場合であっても、通電時間が短く、大きなオーバーシュートが発生しにくい条件においては、大きなオーバーシュートを抑制するための停止温度の変更を中止することにより、温度到達時間の低減が可能となる。
【００４９】
（実施の形態４）
図８は、本発明の実施の形態４における自動販売機の制御装置の機能ブロック図である。図９は、同実施の形態の自動販売機の制御装置の動作を示すフローチャートである。
【００５０】
図８において、外気温度センサー１０４は、演算制御部１００ｄに接続し、外気温度を測定するためのものである。
【００５１】
本実施の形態は、実施の形態１による自動販売機に、さらに、外気温度を測定するための外気温度センサー１０４を設けたものである。
【００５２】
以上のように構成された自動販売機について、以下その演算制御部１００ｄの動作、作用を図９のフローチャートをもとにして説明する。
【００５３】
まず、加温運転が選択されているかの確認を行う（ＳＴＥＰ１）。加温運転が選択されなかった場合は、加温運転制御処理を終了する。加温運転が選択された場合は、加温運転動作開始温度であるかの確認を行う（ＳＴＥＰ２）。加温運転動作開始温度以上である場合は、加温運転制御処理を終了する。加温運転動作開始温度である場合は、電源投入時であるかの確認を行う（ＳＴＥＰ３）。
【００５４】
電源投入時の場合は、ヒートポンプシステムおよび電気ヒータ２４を動作させる（ＳＴＥＰ４）。外気温度センサー１０４により外気の温度を検出する（ＳＴＥＰ１８）。外気温度と補正温度の相関表を用いて、補正する温度を読み出す（ＳＴＥＰ１９）。ヒートポンプシステムおよび電気ヒータ２４の同時運転におけるそれぞれの停止温度について読み出された補正温度をプラスして基準値記憶手段１０１に記憶する（ＳＴＥＰ２０）。基準値記憶手段１０１に記憶されたヒートポンプシステムおよび電気ヒータ２４の同時運転の場合の電気ヒータ停止温度と室内温度センサー２６の計測温度を比較する（ＳＴＥＰ５）。電気ヒータ停止温度＞室内温度センサー２６の計測温度の場合には、動作を継続する。電気ヒータ停止温度≦室内温度センサー２６の計測温度の場合には、電気ヒータ２４の動作を停止する（ＳＴＥＰ６）。基準値記憶手段１０１に記憶されたヒートポンプシステム停止温度と室内温度センサー２６の計測温度を比較する（ＳＴＥＰ７）。ヒートポンプシステム停止温度＞室内温度センサー２６の計測温度の場合には、動作を継続する。ヒートポンプシステム停止温度≦室内温度センサー２６の計測温度の場合には、ヒートポンプシステムの動作を停止し（ＳＴＥＰ７）、加温運転制御処理を終了する。
【００５５】
電源投入時でない場合は、ヒートポンプシステムまたは電気ヒータ２４を動作させる（ＳＴＥＰ９）。基準値記憶手段１０１に記憶されたヒートポンプシステムまたは電気ヒータ２４の単独運転の場合の停止温度と室内温度センサー２６の計測温度を比較する（ＳＴＥＰ１０）。停止温度＞室内温度センサー２６の計測温度の場合には、動作を継続する。停止温度≦室内温度センサー２６の計測温度の場合には、ヒートポンプシステムまたは電気ヒータ２４の動作を停止し（ＳＴＥＰ１１）、加温運転制御処理を終了する。
【００５６】
以上のように、本実施の形態においては請求項１に記載の発明に、さらに、外気温度を測定するための外気温度センサーを備え、高外気温度や低外気温度などによる影響を補正することにより、オーバーシュートのばらつきを抑制して温度調節の精度を向上することが可能となる。
【００５７】
（実施の形態５）
図１０は、本発明の実施の形態５における自動販売機の制御装置の機能ブロック図である。図１１は、同実施の形態の自動販売機の制御装置の動作を示すフローチャートである。
【００５８】
図１０において、オーバーシュート温度記憶手段１０５は、演算制御部１００ｅに接続し、前回のオーバーシュートにより上昇した温度を記憶するためのものである。
【００５９】
本実施の形態は、実施の形態１による自動販売機に、さらに、前回のオーバーシュートにより上昇した温度を記憶するためのオーバーシュート温度記憶手段１０５を設けたものである。
【００６０】
以上のように構成された自動販売機について、以下その演算制御部１００ｅの動作、作用を図１１のフローチャートをもとにして説明する。
【００６１】
まず、加温運転が選択されているかの確認を行う（ＳＴＥＰ１）。加温運転が選択されなかった場合は、加温運転制御処理を終了する。加温運転が選択された場合は、加温運転動作開始温度であるかの確認を行う（ＳＴＥＰ２）。加温運転動作開始温度以上である場合は、加温運転制御処理を終了する。加温運転動作開始温度である場合は、電源投入時であるかの確認を行う（ＳＴＥＰ３）。
【００６２】
電源投入時の場合は、ヒートポンプシステムおよび電気ヒータ２４を動作させる（ＳＴＥＰ４）。オーバーシュート温度記憶手段１０５により記憶されているそれぞれの温度上昇データを読み出す（ＳＴＥＰ２１）。前回の温度上昇値より、補正する温度を算出する（ＳＴＥＰ２２）。ヒートポンプシステムおよび電気ヒータ２４の同時運転におけるそれぞれの停止温度について読み出された補正温度をプラスして基準値記憶手段１０１に記憶する（ＳＴＥＰ２０）。基準値記憶手段１０１に記憶されたヒートポンプシステムおよび電気ヒータ２４の同時運転の場合の電気ヒータ停止温度と室内温度センサー２６の計測温度を比較する（ＳＴＥＰ５）。電気ヒータ停止温度＞室内温度センサー２６の計測温度の場合には、動作を継続する。電気ヒータ停止温度≦室内温度センサー２６の計測温度の場合には、電気ヒータ２４の動作を停止する（ＳＴＥＰ６）。基準値記憶手段１０１に記憶されたヒートポンプシステム停止温度と室内温度センサー２６の計測温度を比較する（ＳＴＥＰ７）。ヒートポンプシステム停止温度＞室内温度センサー２６の計測温度の場合には、動作を継続する。ヒートポンプシステム停止温度≦室内温度センサー２６の計測温度の場合には、ヒートポンプシステムの動作を停止し（ＳＴＥＰ７）、加温運転制御処理を終了する。
【００６３】
電源投入時でない場合は、ヒートポンプシステムまたは電気ヒータ２４を動作させる（ＳＴＥＰ９）。基準値記憶手段１０１に記憶されたヒートポンプシステムまたは電気ヒータ２４の単独運転の場合の停止温度と室内温度センサー２６の計測温度を比較する（ＳＴＥＰ１０）。停止温度＞室内温度センサー２６の計測温度の場合には、動作を継続する。停止温度≦室内温度センサー２６の計測温度の場合には、ヒートポンプシステムまたは電気ヒータ２４の動作を停止し（ＳＴＥＰ１１）、加温運転制御処理を終了する。
【００６４】
以上のように、本実施の形態においては請求項１に記載の発明に、さらに、前記ヒートポンプシステムと前記電気ヒータの停止によるオーバーシュートにより上昇した温度を記憶するためのオーバーシュート温度記憶手段を備え、前回のオーバーシュートの温度上昇データを基に停止温度を補正することで、オーバーシュートのばらつきを抑制して温度調節の精度を向上することが可能となる。
【産業上の利用可能性】
【００６５】
以上のように、本発明にかかる自動販売機のヒートポンプシステムは、ヒートポンプシステムと同等以上の加温能力を有する電気ヒータを備えて、安定時の負荷を大きく越えないようにヒートポンプシステムの加温能力の調整を行うことで、凝縮器温度の過昇温に伴う室温の変動を抑制することができるので、ホット飲料とコールド飲料を同時に保存するショーケースや少量の給湯を行うカップ自販機など小能力の加温エネルギーの省力化が要求される用途にも適用できる。
【図面の簡単な説明】
【００６６】
【図１】本発明の実施の形態１における自働販売機の冷却回路図
【図２】同実施の形態の自動販売機の制御装置のブロック図
【図３】同実施の形態の自動販売機の制御装置の動作を示すフローチャート
【図４】本発明の実施の形態２における自動販売機の制御装置のブロック図
【図５】同実施の形態の自動販売機の制御装置の動作を示すフローチャート
【図６】本発明の実施の形態３における自動販売機の制御装置のブロック図
【図７】同実施の形態の自動販売機の制御装置の動作を示すフローチャート
【図８】本発明の実施の形態４における自動販売機の制御装置のブロック図
【図９】同実施の形態の自動販売機の制御装置の動作を示すフローチャート
【図１０】本発明の実施の形態５における自動販売機の制御装置のブロック図
【図１１】同実施の形態の自動販売機の制御装置の動作を示すフローチャート
【図１２】従来の自動販売機の冷却回路図
【符号の説明】
【００６７】
２０  加温用圧縮機
２３  加温用膨張弁
２４  電気ヒータ
２５  加温用ファン
２６  室内温度センサー
１００ａ，１００ｂ，１００ｃ，１００ｄ，１００ｅ  演算制御部
１０１  基準値記憶手段
１０２  基準値設定手段
１０３  タイマー手段
１０４  外気温度センサー
１０５  オーバーシュート温度記憶手段
【図１】
0004720417.tif 000002
【図２】
0004720417.tif 000003
【図３】
0004720417.tif 000004
【図４】
0004720417.tif 000005
【図５】
0004720417.tif 000006
【図６】
0004720417.tif 000007
【図７】
0004720417.tif 000008
【図８】
0004720417.tif 000009
【図９】
0004720417.tif 000010
【図１０】
0004720417.tif 000011
【図１１】
0004720417.tif 000012
【図１２】
0004720417.tif 000013